(57)【要約】【課題】剛性を備えつつ見映え良く包装することができる、包装用容器を提供する。【解決手段】立ち上る側面部を備えた包装用容器であって、側面部は、容器内側へずらして設けられており平滑に形成された平滑部３２１と、平滑部３２１の上に設けられていて側面部と平滑部３２１との間に段差を形成する段差形成部３２２と、を備え、好ましくは側面部の一部の領域を区画する枠部をさらに備えていて、平滑部３２１が枠部より容器内側へずらして側面部の一部に設けられ、段差形成部３２２が平滑部３２１の周りに設けられていて枠部と平滑部との間に段差を形成している。【選択図】図６
2018172166.tif 000002
【特許請求の範囲】
【請求項１】
天面部及び立ち上る側面部の少なくとも一方（以下、外壁部と呼ぶ。）を備えた包装用容器であって、
上記外壁部は、容器外側或いは容器内側へずらして設けられており滑らかな面に形成された非凹凸部と、上記外壁部と上記非凹凸部との間に段差を形成する段差形成部と、を備えており、
上記段差の少なくとも一部では、上記外壁部及び上記非凹凸部と上記段差形成部とのつながりがそれぞれ曲面で構成されていることを特徴とする、包装用容器。
【請求項２】
上記外壁部の一部の領域を区画する枠部をさらに備えていて、
上記非凹凸部が上記外壁部の一部に設けられ、上記段差形成部が上記非凹凸部の周りに設けられていて上記枠部と上記非凹凸部との間に段差を形成していることを特徴とする、請求項１に記載の包装用容器。
【請求項３】
上記包装用容器が、上記底部の上方で口を開けた容器本体と、この容器本体の口を覆う蓋体とを備え、
上記蓋体が上記容器本体の口より上方へ張り出す上記外壁部を備えていることを特徴とする、請求項１又は請求項２に記載の包装用容器。
【請求項４】
上記蓋体は上記天面部とこの天面部の周縁から下方へ延びた上記側面部とを備え、
上記周縁の一部で、上記天面部と上記側面部とのつながりが曲面で構成されていることを特徴とする、請求項３に記載の包装用容器。
【請求項５】
物品を載せる載置部を有する容器本体と、上記載置部の上方で開いた口を閉じる蓋体とを備えており、蓋をした状態で積み重ねることができる包装用容器であって、
上記蓋体に設けられていて積み重ねの際に積み重ねた他の上記包装用容器の上記載置部に当たる底当接部と、この底当接部に積み重ねた他の上記包装用容器の上記載置部を固定する固定部と、を備えていることを特徴とする、包装用容器。
【請求項６】
上記容器本体は、上記載置部をカウンターや棚などの着地面から離して保持する脚部を備えていることを特徴とする、請求項５に記載の包装用容器。
【請求項７】
上記固定部は、上記載置部から容器外側へ突出していて上記脚部より低く形成された凸部と、上記底当接部から容器内側へ窪んだ凹部と、を備えていて、
複数の上記包装用容器を積み重ねると、上の上記包装用容器の上記凸部が下の上記包装用容器の凹部に嵌ることを特徴とする、請求項６に記載の包装用容器。
【発明の詳細な説明】
【技術分野】
【０００１】
本発明は、プラスチック製の包装用容器の構造に関する。
【背景技術】
【０００２】
従来、惣菜などの食料品の包装として、プラスチック製の包装用容器が用いられている。図１４に示す従来の包装用容器９０は容器本体９１とこの容器本体９１に被さる蓋体９２とを備えている。
【０００３】
包装用容器９０では、容器本体９１が底を浅い位置に設けており、さらに蓋体９２が容器本体９１の高さ（ＨＢ′）より高く（ＨＢ′＜ＨＬ′）構成されていて容器本体９１の口より離れた上方に天面部９２Ａを備えている。さらに蓋体９２は、蓋をした状態で容器本体９１の口より上に現れる食料品を囲うように立ち上がる側面部９２Ｂを備えており、天面部９２Ａは側面部９２Ｂの端につながっている。また、複数のリブ９３が、剛性を持たせるために蓋体９２に設けられている。各リブ９３は、天面部９２Ａの中央側から側面部９２Ｂの下端まで筋状に延びており、また交差しないように距離を置いて複数設けられている。図示例の複数のリブ９３は狭い間隔で隣接するように並でいる。このようなリブ９３を設けることで、包装用容器９０の製造にプラスチックのシート材として薄いものを使用することができ、また陳列の際に積み重ねることができる。
【先行技術文献】
【特許文献】
【０００４】
【特許文献１】特開２０１７−３０８４３号公報（図６（Ａ），図７）
【発明の概要】
【発明が解決しようとする課題】
【０００５】
側面部９２Ｂの内、複数のリブ９３が並んだ領域は、断面の形状が波状に湾曲している。このため、食料品を包装用容器９０に入れてスーパーマーケットのカウンターに陳列すると、蓋体９２が透明に構成されていると、複数のリブ９３が顧客の食料品への直視を妨げ、包装された食料品の形態を歪めてしまう。特に、包装用容器を積み重ねた状態では、下の包装用容器では主に正面を向いた蓋体９３の前面部９２Ｆを通して顧客が食料品を確認するため、複数のリブ９３による食料品の視認性を下げる影響は大きい。
【０００６】
また、このようなリブは、蓋体がフィルムをラミネートして構成される場合に、そのラミネートに付された模様なども変形させてしまい、包装用容器の見映えを低減させてしまう虞がある。
【０００７】
このような事態を解消するためにリブを省くことが考えられるが、リブを備えないと剛性が劣り、例えば積み重ねの際の荷重に耐えることができない。このような課題は、食料品に限らず、他の物を内容物として入れる場合も同様である。
【０００８】
本発明は、剛性を備えつつ見映え良く包装することができる、包装用容器を提供することを目的とする。
【課題を解決するための手段】
【０００９】
上記課題を解決するため、本発明は、天面部及び立ち上る側面部の少なくとも一方（以下、外壁部と呼ぶ。）を備えた包装用容器であって、上記外壁部は、容器外側或いは容器内側へずらして設けられており平滑に形成された非凹凸部と、上記外壁部と上記非凹凸部との間に段差を形成する段差形成部と、を備えており、上記段差の少なくとも一部では、上記外壁部及び上記非凹凸部と上記段差形成部とのつながりがそれぞれ曲面で構成されている。例えば、側面部を備えた包装用容器であれば、上記段差形成部が上記平滑部の上で横に延びるように設けられ、上記段差形成部の一部或いは全体が上記側面部及び上記非凹凸部と上記段差形成部とのつながりがそれぞれ曲面で構成されている。
【００１０】
本発明の包装用容器は、上記外壁部の一部の領域を区画する枠部をさらに備えていて、上記非凹凸部が上記外壁部の一部に設けられ、上記段差形成部が、上記非凹凸部の周りに設けられていて上記枠部と上記非凹凸部との間に段差を形成している。
【発明の効果】
【００１１】
本発明によれば、食料品を見映え良く包装することができると共に、包装用容器の剛性を確保することができる。
【図面の簡単な説明】
【００１２】
【図１】（ａ）は本発明の第１実施形態の包装用容器を示す斜視図であり、（ｂ）は（ａ）の包装用容器で矢印Ｙ１が指す周辺の拡大した斜視図である。
【図２】（ａ）と（ｂ）は本発明の第１実施形態の包装用容器を示す正面図と背面図である。
【図３】本発明の第１実施形態の包装用容器を示す左側面図である。
【図４】（ａ）と（ｂ）は本発明の第１実施形態の包装用容器を示す平面図と底面図である。
【図５】（ａ）は本発明の第１実施形態の包装用容器の展開図であり、（ｂ）は（ａ）のＤ１−Ｄ１線に沿った包装用容器の断面図である。
【図６】（ａ）と（ｂ）は図２（ａ）のＡ１−Ａ１線とＢ１−Ｂ１線に沿った包装用容器の断面図である。
【図７】（ａ）は図３のＣ１−Ｃ１線に沿った包装用容器の断面図であり、（ｂ）は（ａ）の包装用容器で矢印Ｙ２が指す周辺の部分斜視図である。
【図８】（ａ）〜（ｄ）は本発明の第１実施形態の蓋体の構成を説明するための図である。
【図９】（ａ）は図６（ａ）の包装用容器で矢印Ｙ３が指す周辺の部分拡大図であり、（ｂ）は図６（ｂ）の包装用容器で矢印Ｙ４が指す周辺の部分拡大図であり、（ｃ）は段差形成部の他の構成例を示す図である。
【図１０】本発明の第１実施形態の使用状態を示す包装用容器の左側面図である。
【図１１】（ａ）と（ｂ）は本発明の第１実施形態の第１変形例の包装用容器を示す斜視図と正面図である。
【図１２】（ａ）と（ｂ）は本発明の第１実施形態の第２変形例の包装用容器を示す斜視図と左側面図である。
【図１３】（ａ）は本発明の第２実施形態の包装用容器を示す正面図であり、（ｂ）は（ａ）のＥ１−Ｅ１線に沿った容器本体の断面図である。
【図１４】従来の包装用容器の正面図である。
【００１３】
（第１実施形態）
図１（ａ）は本発明の第１実施形態の包装用容器１を示す斜視図である。図２の（ａ）と（ｂ）は包装用容器１の正面図と背面図であり、図３は包装用容器１の左側面図であり、図４の（ａ）と（ｂ）は包装用容器１の平面図と底面図である。なお、包装用容器１の右側面図は左側面図と対称に表れる。
【００１４】
包装用容器１は、容器本体１０と、この容器本体１０にヒンジ部２０を介して取り付けられた蓋体３０とを備えており、図１から図３では蓋体３０が容器本体１０の上まで回転して容器本体１０の口を塞いでいる状態を示している。なお、図５（ａ）は、蓋体３０が容器本体１０の横に並ぶように包装用容器１を広げた展開図である。
【００１５】
図６（ａ）は図２（ａ）のＡ１−Ａ１線に沿った包装用容器１の断面図であり、図７（ａ）は図３のＣ１−Ｃ１線に沿った包装用容器１の断面図である。
【００１６】
容器本体１０は、横長に広がる底部１１と、この底部１１の周縁から立ち上って底部１１の上方で開いた口を形成する側面部１２と、口のまわりで外側へ突き出た本体フランジ部１３と、を備えている。
【００１７】
（容器本体）
底部１１は、食料品を載せる載置部１１１と、載置部１１１より下方へ突き出るように形成された脚部１１２と、を備えている。脚部１１２は、載置部１１１のまわりで距離を置いて設けられており、平面視で横長の矩形型に形成された底部１１の領域で、その四隅にそれぞれ設けられている。容器本体１０は、これらの脚部１１２によってカウンターや棚などの着地面に置いた状態で、載置部１１１を高い位置に保持する。
【００１８】
載置部１１１は、底部１１で脚部１１２を除いた領域であり、この領域の内、図６（ａ）に示すように内側に設けられる内側部１１１Ａが段差を介してその前後に設けられる外側部１１１Ｂより高い位置に設けられている。
【００１９】
内側部１１１Ａは、横長に形成されており、図７（ａ）に示すように左右の端側を除いて、載置用凸部１５を複数備えている。図７（ｂ）は図７（ａ）の矢印Ｙ２が指す周辺の拡大図であり、各載置用凸部１５は、最も容器内側へ張り出す頂部１５１と、頂部１５１から内側部１１１Ａまで延びる側面部１５２とを備えていて、上方へ突き出ている。例えば図５（ａ）に示す平面視の輪郭が矩形型で、載置部１１１より２〜４ｍｍほどの高さに形成されていて、各載置用凸部１５は等しい間隔で前後と左右とに並ぶように配置されている。なお、載置用凸部１５の形，寸法や配置は図示例に限らず他の載置用凸部１５を設けてもよい。また外側部１１１Ｂも載置用凸部１５を複数設けている。
【００２０】
さらに、底部１１は、包装用容器１を積み重ねる際に利用する凸部（以下、スタック用凸部１７と呼ぶ。）を、図７（ａ）に示すように載置部１１１の内側部１１１Ａでその左右の端に寄せて設けている。
【００２１】
左右のスタック用凸部１７は、内側部１１１Ａより下方（容器外側）へ突き出るように形成されており、図７（ｂ）に示すように最も外側へ張り出す頂部１７１と、頂部１７１から内側部１１１Ａまで延びる側面部１７２とを備えている。図７（ａ）では脚部１１２を一点鎖線で表しており、スタック用凸部１７の高さｈｆ１が脚部１１２（高さｈｆ２）より低く（ｈｆ２＞ｈｆ１）設定されている。スタック用凸部１７の高さｈｆ１は２〜４ｍｍである。なお、スタック用凸部１７の形，寸法，配置や個数は限定されるものではなく、他のスタック用凸部１７を設けてもよい。
【００２２】
側面部１２は、底部１１の周縁から立ち上り、上端を揃えて底部１１の上方で開いた口１００を構成する。側面部１２は、図５（ｂ）に示すように載置部１１１が浅い位置に設けられており、口１００から載置部１１１までの寸法ｈｃは後述する蓋体３０の側面部３２の高さｈｒより小さく設定されているが、載置部１１１は深い位置に設けられてもよい。
【００２３】
本体フランジ部１３は、図５（ｂ）に示すように、側面部１２の上端から延びた折り返し部１３１と、この折り返し部１３１から外側へ延びた縁形成部１３２と、を備えている。縁形成部１３２を構成する面は、図示することを省略するが筋や粒状の凸部を複数設けて、凹凸状に形成されている。
【００２４】
（蓋体）
蓋体３０は、図３と図４とに示すように、底部１１の上方で広がる天面部３１と、天面部３１の周縁から下方へ延びた側面部３２と、側面部３２の端から外側へ延びた蓋フランジ部３３と、を備えている。
【００２５】
天面部３１は、積み重ねの際に他の包装用容器１の底部１１に当たる底当接部３１１と、この底当接部３１１の後側で底当接部３１１より低い位置に保持される後脚対向部３１２と、底当接部３１１と後脚対向部３１２との間に段差を形成する斜面部３１３と、を備えている。
【００２６】
底当接部３１１は、平面視で横長の領域として形成されており、図４（ａ）ではその周縁を実線で表しており、前縁３１１Ｆと後縁３１１Ｂとが左右に延び、左縁３１１Ｌと右縁３１１Ｒとが前縁３１１Ｆ及び後縁３１１Ｂより寸法を短く設定されて前後に延びている。なお、図示例では、底当接部３１１はその前側と後側が外側へ行くにつれて下がる曲面に形成されており、後縁３１１Ｂは中間部分を後方へ膨らませて弓なりに延びている。
【００２７】
さらに、底当接部３１１は、下方へ窪んだ凹部（以下、スタック用凹部３７と呼ぶ。）を備えている。ここで、図１（ｂ）は図１（ａ）の矢印Ｙ１が指す周辺を拡大した斜視図であり、スタック用凹部３７は、底当接部３１１の内、その左縁３１１Ｌに隣接した一部を低くして形成されており、最も内側へ入り込む穴底３７１（最深部）と、穴底３７１から底当接部３１１まで延びる穴側面３７２とを備えている。穴底３７１は矩形型の領域として形成されており、周縁の内、一つの縁３７１Ａが外側に現れるように設けられ、残りの縁３７１Ｂから穴側面３７２が延びている。また、図４（ａ）の平面視で縁３７１Ａが底当接部３１１の左縁３１１Ｌより内側にずれて設けられて、穴底３７１は、その上方で開いた天面部３１の口部３１１Ａより小さく形成されている。また、蓋体３０は、底当接部３１１の内、その右縁３１１Ｒに隣接した一部を低くして、同様のスタック用凹部３７を設けている。
【００２８】
斜面部３１３が底当接部３１１の後縁３１１Ｂから下方へ延びている。天面部３１と斜面部３１３とのつながる部分は曲面で構成されている。
【００２９】
二つの後脚対向部３１２が、斜面部３１３の下端から外側へ延びていて、平面視で、底当接部３１１の後縁３１１Ｂの後方で左右に並び、後縁３１１Ｂの長手方向の中間を境に対称に配置されている。各後脚対向部３１２は、平面視で三角型の領域として形成されていて、一つの角部が隣接或いは近接し、さらに他の一辺が直線状に並んで天面部３１の後側の縁を形成している。二つの後脚対向部３１２が底当接部３１１の後縁３１１Ｂの後方に配置されて、底当接部３１１と共に、平面視での天面部３１の輪郭を横長の矩形型に形成する。
【００３０】
側面部３２は、図４（ａ）に示すように、天面部３１の矩形型の縁から下方へ延びており、前方を臨む前面部３２Ｆと、後方を臨む後面部３２Ｂと、左方を臨む左面部３２Ｌと、右方を臨む右面部３２Ｒと、を備えている。前面部３２Ｆと後面部３２Ｂと左面部３２Ｌと右面部３２Ｒは、下端の高さを揃えて下方へ開いた口３００を構成している。
【００３１】
口３００の周りには補強部３８が設けられている。補強部３８は、図５（ｂ）と図６（ａ）とに示すように、側面部３２の下端より横に延びた横延長部３８１と、その端から下方へ延びた縦延長部３８２と、を備えて、外側へ張り出す角を構成している。
【００３２】
蓋フランジ部３３は、補強部３８のまわりに設けられており、図５（ｂ）と図６（ａ）とに示すように、補強部３８から外側へ延びた横延長部３３１と、横延長部３３１から延びた被着部３３２と、被着部３３２から延びた縁形成部３３３と、を備えている。縁形成部３３３は、被着部３３２の内、ヒンジ部２０が設けられる部分を除いて設けられている。蓋フランジ部３３は、外嵌合構造として被着部３３２が容器本体１０の本体フランジ部１３に被さって本体フランジ部１３が被着部３３２の内面に嵌るよう構成されている。縁形成部３３３を構成する面は、図示することを省略するが筋や粒状の凸部を複数設けて、凹凸状に形成されている。
【００３３】
蓋フランジ部３３が側面部３２より低い位置に設けられて、蓋フランジ部３３より内側で中央側の領域に設けられる側面部３２が上部を絞るよう補強部３８から立ち上がって前面部３２Ｆと後面部３２Ｂと左面部３２Ｌと右面部３２Ｒがそれぞれ内側へ傾斜している。蓋体３０は、上方へ突き出るように形成された中央側の領域を支える骨格を備えている。
【００３４】
図８は蓋体３０の構成を説明するための図であり、骨格を太線で表し、その他を破線で表しており、（ａ）が平面図であり、（ｂ）が正面図であり、（ｃ）が背面図であり、（ｄ）が左側面図である。蓋体３０は、骨格として、上下の方向へ延びる縦骨部と、左右や前後の方向へ延びる横骨部と、を備えている。
【００３５】
縦骨部は、前面部３２Ｆ，後面部３２Ｂ，左面部３２Ｌ，右面部３２Ｒの隣り合うものがつながって構成されて外に張り出し、また上下に延びている（以下、それぞれの符号を３０１ＦＬ，３０１ＦＲ，３０１ＢＬ，３０１ＢＲとする。）。各縦骨部３０１ＦＬ，３０１ＦＲ，３０１ＢＬ，３０１ＢＲは、その上部と下部とが上下に並ばないよう位置をずらしていて、内側に傾いた姿勢に形成されている。また、図８（ｄ）の左側面視で、前側の縦骨部３０１ＦＬは、後側の縦骨部３０１ＢＬよりも水平面に対する角度が小さく設定されて、内側へ大きく倒れるように傾斜している。また、各縦骨部３０１ＦＬ，３０１ＦＲ，３０１ＢＬ，３０１ＢＲは、横断面の形状が図６（ｂ）に示すように円弧状に形成されている。前側の縦骨部３０１ＦＬ，３０１ＦＲは、例えば低くなるにつれて曲率半径が大きくなり、下部が上部より幅が広くなるように形成されている。
【００３６】
横骨部は、天面部３１と前面部３２Ｆ，後面部３２Ｂ，左面部３２Ｌ，右面部３２Ｒとがつながって構成されており、横に延びている（以下、それぞれの符号を３０２Ｆ，３０２Ｂ，３０２Ｌ，３０２Ｒとする。）。
【００３７】
横骨部の内、天面部３１と前面部３２Ｆとがつながる前側の横骨部３０２Ｆは、図８の（ａ）と（ｂ）とに示すように、左右の方向へ延びており、その断面は、図６（ａ）に示すように天面部３１と前面部３２Ｆとが緩やかに曲がりながらつながって、外側へ膨らむ円弧状に形成された曲面として形成されている。また、横骨部３０２Ｆは、他の横骨部３０２Ｌ，３０２Ｒや縦骨部３０１ＦＬ，３０１ＦＲとのつながる箇所を除いて、縦断面の形状がその長手方向の全体に亘って同じ形に構成されているが、部分的に形が変わるように構成してもよい。
【００３８】
後面部３２Ｂ側と左面部３２Ｌ側と右面部３２Ｒ側の横骨部３０２Ｂ，３０２Ｌ，３０２Ｒは、前側の横骨部３０２Ｆと比べて外へ張り出すように角を構成している。後面部３２Ｂ側の横骨部３０２Ｂは、図８の（ａ）と（ｃ）とに示すように左右方向に延びている。左側の脚対向部３１２に隣接した横骨部３０２Ｂと右側の脚対向部３１２に隣接した横骨部３０２Ｂとは、距離を置いて仮想の直線上で並ぶように延びており、左と右とに設けられる後側の各縦骨部３０１ＢＬ，３０１ＢＲにつながっている。また、弓なりに横に延びた横骨部３０３が、底当接部３１１と斜面部３１３と脚対向部３１２とで構成されている。この横骨部３０３で後方に膨らんだ部分に、横骨部３０２Ｂの内側の端が寄せられて設けられている。
【００３９】
左面部３２Ｌ側では、横骨部３０２Ｌが、図８（ａ）の平面視で前後方向に延びている。横骨部３０２Ｌでは、スタック用凹部３７から前方へ延びた曲面部側が、図８（ｄ）に示すように、弧状に曲がって前側の縦骨部３０１ＦＬとつながっている。また、スタック用凹部３７から後方へ延びた後側では、天面部３１の後部が形成する曲面に対応して緩やかに曲がり、さらにその後側では後脚対向部３１２や斜面部３１３による段差に対応して折れ曲がって縦骨部３０１ＢＬにつながっている。右面部３２Ｒと天面部３１とで構成する横骨部３０２Ｒは、左面部３２Ｌ側の横骨部３０２Ｌと対称に形成されている。
【００４０】
蓋体３０では、側面部３２の下端に連なる補強部３８が横骨部として機能する。補強部３８は、図８（ａ）の平面視で前後に延びた横骨部３０４Ｌ，３０４Ｒと、左右に延びた横骨部３０４Ｆ、３０４Ｂとを備え、これらが環状に連なり、また接続箇所には縦骨部がつながっている。なお、図８（ａ）では補強部３８を太い破線で表している。
【００４１】
これらの縦骨部と横骨部とが蓋体３０を区切って、前面部３２Ｆが、正面視で横長の領域として設けられている。前側で距離を置いて横に並んだ二つの縦骨部３０１ＦＬ，３０１ＦＲとそれらの上端をつなぐ前側の横骨部３０２Ｆとが、前面部３２Ｆの外延を規定する。この前面部３２Ｆは、滑らかな面に形成されることが望ましく、そのために、補強構造を備えている。
【００４２】
二つの縦骨部３０１ＦＬ，３０１ＦＲとそれらの上端をつなぐ前側の横骨部３０２Ｆとが枠部としても側面部３２を区画しており、囲われた領域が『側面部の一部の領域』として構成される。この領域は、前面部３２Ｆを補強するように設けられており、図６の（ａ）と（ｂ）とに示すように、縦骨部３０１ＦＬ，３０１ＦＲと横骨部３０２Ｆと位置をずらして設けられ平滑に形成された平滑部３２１と、この平滑部３２１とその周りの縦骨部３０１ＦＬ，３０１ＦＲ及び横骨部３０２Ｆとの間に段差を形成する段差形成部３２２とで構成されている。
【００４３】
平滑部３２１と縦骨部３０１ＦＬ，３０１ＦＲ及び横骨部３０２Ｆとの間のギャップ（Δｈ′）は、例えば１〜３ｍｍである。ここで、ギャップΔｈ′は平滑部３２１の面に垂直な方向で、横骨部３０２Ｆなどからずれた距離であり、図６の（ａ）と（ｂ）ではずれる前の位置を一点鎖線で表している。平滑部３２１は、図２（ａ）の包装用容器１の正面視で、輪郭を横長の矩形型に形成されている。なお、平滑部３２１は、縦骨部３０１ＦＬ，３０１ＦＲや横骨部３０２Ｆより容器外側へずらしたり、ギャップΔｈ′の寸法を変えたりして、蓋体３０に設けてもよい。
【００４４】
図６（ａ）に示す平滑部３２１の高さｈｍ１は、限定されるものではないが、例えば１９〜２１ｍｍであり、好ましくは図５（ｂ）の側面部３２の高さ（ｈｒ：２８〜３０ｍｍ）の６割より大きくなるよう寸法が選定される。図６（ｂ）に示す平滑部３２１の幅ｗｍ１も、限定されるものではないが、例えば１０５〜１１０ｍｍであり、好ましくは前面部３２Ｆの上端の幅（ｗｆ１：１３０〜１５０ｍｍ）の７割より大きく設定されている。
【００４５】
蓋体３０は、平滑部３２１を縦骨部３０１ＦＬ，３０１ＦＲと横骨部３０２Ｆとつなぐよう段差形成部を設けている。段差形成部は、枠部を構成する縦骨部３０１ＦＬ，３０１ＦＲと横骨部３０２Ｆとに沿って、平滑部３２１の上と左右とで連なるように設けられている（以下、それぞれに符号３２２Ｕ，３２２Ｌ，３２２Ｒを付す。）。
【００４６】
この図６の（ａ）と（ｂ）とに示すように、段差形成部３２２Ｕ，３２２Ｌ，３２２Ｒは、前側の縦骨部３０１ＦＬ，３０１ＦＲ及び横骨部３０２Ｆとのつながりが曲面で構成されている。ここで、図９（ａ）は図６（ａ）の包装用容器１で矢印Ｙ３が指す周辺の部分拡大図であり、上の段差形成部３２２Ｕは、横骨部３０２Ｆと曲面Ｓ１１を構成し、平滑部３２１と曲面Ｓ１２を構成している。曲面Ｓ１１は横骨部３０２Ｆの曲面（半径Ｒ１）より半径ｒ１１が小さく形成されている。曲面Ｓ１２（半径ｒ１２）は、曲面Ｓ１１と異なり、容器内側へ膨らむように形成されている。図９（ｂ）は図６（ｂ）の包装用容器で矢印Ｙ４が指す周辺の部分拡大図であり、右の段差形成部３２２Ｒは、縦骨部３０１ＦＲと曲面Ｓ２１を構成し、平滑部３２１と曲面Ｓ２２を構成し、さらにこれらの曲面Ｓ２１，Ｓ２２の間には平たく広がる面Ｓ２３が設けられている。曲面Ｓ２１は縦骨部３０１ＦＲの曲面（半径Ｒ２）より半径ｒ２１が小さく形成されている。曲面Ｓ２２（半径ｒ２２）は、曲面Ｓ２１と異なり、容器内側へ膨らむように形成されている。左の段差形成部３２２Ｌは、右の段差形成部３２２Ｒと対称に形成されている。なお、図１（ａ）と図２（ａ）と図４（ａ）と図５（ａ）では、二点鎖線が曲面Ｓ１１〜Ｓ２２の位置を表している。
【００４７】
なお、段差形成部３２２Ｕは、その一部を二つの曲面Ｓ１１，Ｓ１２に代えて、図９（ｃ）に示すように平たく広がる面Ｓ１３として構成されて、この面Ｓ１２が横骨部３０２Ｆとつながって容器外側へ出る角（出隅）Ｃ１１を構成し、また平滑部３２１とつながって容器内側へ出る角（入隅）Ｃ１２を構成してもよい。左右の段差形成部３２２Ｌ，３２２Ｒは縦部材３０１ＦＬ等とのつながる箇所の一部或いは全体を曲面に代えて、角として構成してもよい。
【００４８】
図８（ｂ）では、縦に延びた一点鎖線Ｌ１１，Ｌ１２が右の段差形成部３２２Ｒの左右の縁を表しており、これらの縁Ｌ１１，Ｌ１２が示すように、右の段差形成部３２２Ｒは、正面視で、これに隣接する縦骨部３０１ＦＲ側へ傾いている。また、平滑部３２１の右に設けられる段差形成部３２２Ｒは、低くなるにつれて幅、つまり縁Ｌ１１，Ｌ１２の間隔が広くなるように形成されている。
【００４９】
平滑部３２１の上に設けられる段差形成部３２２Ｕは、平滑部３２１の左右に設けられる段差形成部３２２Ｌ，３２２Ｒとつながる部分を除いて高さが同じ、つまり同じ断面形状に形成されている。
【００５０】
図６の（ａ）に示す段差形成部３２２Ｕの高さｈｍ２は、限定されるものではないが、例えば６〜８ｍｍであり、段差形成部３２２Ｌ，３２２Ｒの高さｈｍ３は側面部３２の高さ（ｈｒ）と同じように設定される。図６の（ｂ）に示す段差形成部３２２Ｌ，３２２Ｒの幅ｗｍ２，ｗｍ３は、例えば６〜８ｍｍである。図示例では、平滑部３２１の上に設けられる段差形成部３２２Ｕを左右に設けられる段差形成部３２２Ｌ，３２２Ｒと比べると、右の段差形成部３２２Ｒの寸法ｗｍ３は、面Ｓ２３が広く設けられて、上の段差形成部３２２Ｕの寸法ｈｍ２より大きく設定されていて、右の段差形成部３２２Ｒが上の段差形成部３２２Ｕより広い領域として構成されている。なお、上の段差形成部３２２Ｕは、二つの曲面Ｓ１１，Ｓ１２の間に平たい面を設けて広くしたり、或いは真っ直ぐに延びる代わりにアーチ型に中間部が上方へ膨んで延びるように形成してもよい。
【００５１】
平滑部３２１が縦骨部３０１ＦＬ，３０１ＦＲより内側へ侵入していることで、側面部３２の下端から外側へ延びた補強部３８の横延長部３８１は、図４（ａ）に示すように、平滑部３２１から外側へ延びた部分が左右の縦骨部３０１ＦＬ，３０１ＦＲから延びた部分より広く形成されている。
【００５２】
左面部３２Ｌは、図１（ｂ）に示すように、天面部３１から補強部３８に亘って上下に延びた補強部３９を備えている。補強部３９は、スタック用凹部３７の外側に現れる縁３７１Ａから下方へ延びて外側を臨む外側対向部３９１と、天面部３１のスタック用凹部３７を画する縁の内、前後に相対する部分からそれぞれ下方へ延びていると共に外側対向部３９１の前後の縁からもそれぞれ外側へ延びるように設けられた一対の外側延長部３９２，３９３と、を備えている。これらの外側対向部３９１と一対の外側延長部３９２，３９３とが連なって横断面の形状が、穴底３７１より高い部分を除いて、図６（ｂ）に示すようにコ字型に形成されている。なお、外側対向部３９１と一対の外側延長部３９２，３９３とは、低くなるにしたがって幅が狭くなるように構成されている。また、外側対向部３９１と一対の外側延長部３９２，３９３の各下端が、左面部３２Ｌより容器内側に侵入して設けられていて、補強部３８の横延長部３８１が外側対向部３９１の下端から外側へ延びている。
【００５３】
このように構成された補強部３９は、図８（ｄ）に示すように、前後の縦骨部３０１ＦＬ，３０１ＢＬと距離を置いて設けられている。左面部３２Ｌでは、補強部３９から前後の縦骨部３０１ＦＬ，３０１ＢＬまでの領域が、例えば平滑な面として形成されている。右面部３２Ｒは、左面部３２Ｌと対称に形成されていて、補強部３９が右のスタック用凹部３７から下方へ延びている。
【００５４】
（ヒンジ部２０）
ヒンジ部２０は、容器本体１０の一方の長い縁と、蓋体３０の一方の長い縁と一体に設けられている。蓋体３０を容器本体１０の横に並ぶように広げた状態では、ヒンジ部２０は、図５（ｂ）に示すように、全体に亘って断面が弧状に形成されていて半円筒の内面を上方へ向けているが、丸くなるよう形を変えることで蓋体３０が容器本体１０に合わさるように回転させることができる。包装用容器１は、このような丸くなるように断面形状を変えるヒンジ部２０に限らず、容器本体１０の一方の長い縁と、蓋体３０の一方の長い縁とが間欠的につながっているつなぎ部と、切れ込みで離れている切断部とが交互に並んで構成されたヒンジ部２０を設けてもよい。
【００５５】
蓋体３０を容器本体１０に合わせる際、容器本体１０の折り返し部１３１が蓋フランジ部３３の内側に嵌ることで、蓋体３０が容器本体１０に固定される。このように蓋をした状態で、容器本体１０と蓋体３０とが、内側に食料品を入れる空間を構成する。なお、包装用容器１は、蓋フランジ部３３が本体フランジ部１３の内面に嵌るよう内嵌合式に構成されてもよいし、ヒンジ部２０を省いて蓋体３０が容器本体１０と分離して構成されてもよい。
【００５６】
包装用容器１では、容器本体１０とヒンジ部２０と蓋体３０とが一体に樹脂材で構成されている。材料は限定されるものではないが、ポリオレフィン系樹脂、ポリスチレン系樹脂、またはポリエステル系樹脂を利用することができる。成型の際に、例えば樹脂製のシート材をヒーター内で予備加熱を行い、その後金型を用いて真空引き及び冷却して容器状に賦形する。裁断装置を用いて成形品を分離すると、包装用容器１が完成する。
【００５７】
また、包装用容器１は、ＰＥＴ等の樹脂製のシート材を成型で熱変形させて製造され、好ましくは透明度を高く構成する。成型後の包装用容器１の各部の厚みは、特に限定されるものではないが０．０５ｍｍ〜１．０ｍｍである。包装用容器１の形状や寸法は、図示例の大きさやその比率に限定されるものではない。なお、包装用容器１は表面にフィルムを重ねて構成してもよい。
【００５８】
（使用方法）
図５（ａ）に示すように蓋体３０が容器本体１０に並んで口１００が開いた状態で、食料品を容器本体１０の載置部１１１に載せる。例えば食料品の一部が容器本体１０の口から外に現れるように盛り付けることができる。蓋体３０を容器本体１０側に回転させ、本体フランジ部１３の折り返し部１３１を蓋フランジ部３３の被着部３３１の内側に嵌合させる。このように蓋をした状態では、蓋体３０が容器本体１０より高い位置に現れる食料品を囲うと共にその上方を覆う。
【００５９】
第１実施形態の包装用容器１によれば、従来の包装用容器のように細幅で近接して複数並んだ従来の包装用容器９０のリブ９３を前面部３２Ｆに備えておらず、蓋体３０が透過性を有すると、この滑らかな前面部３２Ｆを通して顧客の商品への視認性を高めることができる。また、蓋体３０が不透明でフィルムをラミネートされて模様等が付されていると、この滑らかな前面部３２Ｆでは、模様などの変形を回避でき、商品を見映え良く包装することができる。
【００６０】
さらに平滑部３２１の上に設けられる横骨部３０２Ｆが曲面に形成され、段差形成部３２２Ｕ，３２２Ｌ，３２２Ｒと平滑部３２１とのつながりが曲面Ｓ１１，Ｓ１２等に形成されていると、図１（ａ）に示すように天面部３１から前面部３２Ｆまでに亘る広い領域が筋などを備えない滑らかな面として形成することができ、食料品をより一層、見映え良く包装し、カウンターや棚などに陳列することができる。
【００６１】
また、段差形成部３２２Ｕが前面部３２Ｆの上で横に延びて、蓋体３０の強度を高めている。さらに、前面部３２Ｆでは段差形成部３２２Ｕに加えて、段差形成部３２２Ｌ，３２２Ｌが平滑部３２１に隣接して縦方向と横方向と連なるように延びて、縦骨部３０１ＦＬ、３０１ＦＲ、横骨部３０２Ｆを補強し、左面部３２Ｌや右面部３２Ｒでは補強部３９が縦方向に延びていて、蓋体３０の剛性が確保される。このように蓋体３０が剛性を備えることで、内側に食料品を入れさらに蓋をした状態の包装用容器１を積み重ねる際にも、荷重に耐えることができる。
【００６２】
包装用容器１の積み重ねにおいて、蓋体３０の天面部３１が他の包装用容器１の４つの脚部１１２をすべて載せることができる大きさに形成されておらず、また天面部３１から前面部３２へ亘って曲がるように面が延びているため、単に他の包装用容器１を載せただけでは積み重ねた状態が不安定である。なお、蓋体が脚部を載せた状態でその移動を規制できない従来の包装用容器や、蓋体が脚部を載せる部分を備えていない従来の包装用容器でも、積み重ね状態を安定して維持することができない。包装用容器１では積み重ね用の固定部７としてスタック用凸部１７とこれが嵌るスタック用凹部３７とが設けられている。図１０は包装用容器１を積み重ねた使用状態を示しており、上の包装用容器１の載置部１１１を下の包装用容器１の底当接部３１１に載せ、その際に上の包装用容器１のスタック用凸部１７を下の包装用容器１のスタック用凹部３７に嵌める。これにより、上の包装用容器１が下の包装用容器１に対して適正な位置に固定される。これにより、包装用容器１の積み重ね状態を維持することができ、安定して食料品を見映えの良い包装で、カウンターや棚などに陳列することができる。
【００６３】
（第１変形例）
図１１（ａ）は第１変形例の包装用容器１Ａを示す斜視図であり、図１１（ｂ）は包装用容器１Ａの正面図である。この包装用容器１Ａでは、蓋体３０の前面部３２Ｆは、その左右方向の途中に上下に延びる縦骨部３０１Ｍをさらに二つ備えて、三つの領域が容器内側へずれて設けられる領域として区画されている。これらの領域も、平滑部３２１と、そのまわりに設けられる段差形成部３２２とで構成されている。隣り合う領域を区切る縦骨部３０１Ｍは、前方を臨む平らな面を形成することが望ましい。
【００６４】
（第２変形例）
図１２（ａ）は第２変形例の包装用容器１Ｂを示す斜視図であり、図１２（ｂ）は包装用容器１Ｂの左側面図である。この包装用容器１Ｂでは、蓋体３０の前面部３２Ｆに加えて、平滑部３２１とそのまわりに設けられる段差形成部３２２とが左面部３２Ｌに設けられている。このように面状に広がる補強部は、図示を省略するが右面部３２Ｒや後面部３２Ｂに設けられてもよいし、一点鎖線で示すように天面部３１に設けられてもよい。なお、天面部３１は、水平な面に限らず、図１２（ｂ）に一点鎖線で示す斜面などに形成されてもよい。
【００６５】
（第２実施形態）
図１３（ａ）は第２実施形態の包装用容器２を示す正面図であり、包装用容器２は、第１実施形態と異なり、深絞りに形成された容器本体５０と、この容器本体５０に着脱自在に取り付けられる蓋体６０と、を備えていて、面状の補強部が容器本体５０に設けられている。なお、蓋体６０を二点鎖線で表しており、例えば第１実施形態の蓋体３０を容器本体と分離して構成したものを利用してもよい。
【００６６】
容器本体５０は、矩形型の底部５１と、その周縁から立ち上って口５００を形成する側面部５２と、口５００のまわりに設けられた本体フランジ部５３と、を備えている。図１３（ｂ）は図１３（ａ）のＥ１−Ｅ１線に沿った容器本体５０の断面図であり、側面部５２は、前方と後方とを臨むように、底部５１の前後の縁から立ち上る前面部５２Ｆと後面部５２Ｂとを備えており、さらに前面部５２Ｆは、面状の補強部を構成するよう、内側へずらして設けられる平滑部５２１と、この平滑部５２１と前面部５２Ｆとの間で段差を形成する段差形成部５２２と、を備えている。
【００６７】
包装用容器２は、第１実施形態と同様に、面状の補強部によって、剛性を確保しつつ、内容物の視認性の向上させることができる。
【００６８】
本発明は、上記の説明や図示例に限定されるものではなく、包装用容器１では側面部３２の下に補強部３８を備えているがこのような横骨部を省略したり、側面部３２の上に設けられる縦骨部、また側面部３２などで上下に延びた縦骨部を省略して構成されてもよく、例えば半球状に丸い曲面に外側へずらした平滑部を設けてもよい。平滑部は縦骨部や横骨部から離れて設けもよい。例えば、図１１（ｂ）の包装用容器１Ａで、三つ並んだ平滑部３２１の内、左端寄りの平滑部３２１と段差形成部３２２とを省いて、中央側の平滑部３２１から左端までを平滑な面として構成してもよい。また平滑部３２１は、矩形型の領域に限らず、円型、三角型、その他の形の領域として構成されてもよい。段差形成部３２２の形状を変えて構成してもよく、例えば図８（ｂ）に示す蓋体３０で段差形成部３２２Ｒなどの縁を形成する線Ｌ１１、Ｌ１２を、図１３（ａ）に示す線Ｌ１１、Ｌ１２のように下がるにつれ外側へずれるように設けたり、図示を省略するが正面視で縦に真っ直ぐ延びてもよい。積み重ね用の固定部７は、天面部３１側に上方へ突き出る凸部を設けて、載置部１１側に容器内側へ窪んでいて天面部３１の凸部が嵌る凹部を設けて構成することができる。この固定部７に隣接した補強部３９（図１（ｂ））は、容器外側へ張り出すように構成されてもよく、また固定部７から離れて設けてもよい。固定部７を設ける位置も、左右の縁３１１Ｌ，３１１Ｒに代えて他の縁でもよい。
【００６９】
第１実施形態では平滑部３２１が包装用容器１の外形を構成する外壁部としての側面部３２に設けられているが、平滑部３２１は、外壁部の内、側面部３２に代えて天面部にだけ設けられてもよい。なお、天面部は側面部の上に設けられて容器本体の口より高い位置に保持されるものに限らず、側面部の高さを低くしたものや側面部を設けずに構成した蓋体であれば容器本体の口に近接し或いは容器内側へ侵入して底部と対向して設けられるものも含む。また、上記の説明では、滑らかな面として構成される非凹凸部が、平滑部３２１として平坦に形成されているが、非凹凸部は容器外側或いは容器内側へ膨らんでいて滑らかな曲面として構成されてもよい。
【符号の説明】
【００７０】
１，１Ａ，１Ｂ，２  包装用容器
７            固定部
１０，５０    容器本体
１００        口
１１，５１    底部
１１１        載置部
１１２        脚部
１２，５２    側面部
１３，５３      本体フランジ部
１５          載置用凸部
１７          スタック用凸部
２０          ヒンジ部
３０，６０    蓋体
３００        口
３１          天面部
３１１        底当接部
３１２        後脚対向部
３２          側面部
３２Ｆ        前面部
３２Ｂ        後面部
３２Ｌ        左面部
３２Ｒ        右面部
３３          蓋フランジ部
３７          スタック用凹部
３８          補強部
３２１        平滑部
３２２        段差形成部
【図１】
2018172166.tif 000003
【図２】
2018172166.tif 000004
【図３】
2018172166.tif 000005
【図４】
2018172166.tif 000006
【図５】
2018172166.tif 000007
【図６】
2018172166.tif 000008
【図７】
2018172166.tif 000009
【図８】
2018172166.tif 000010
【図９】
2018172166.tif 000011
【図１０】
2018172166.tif 000012
【図１１】
2018172166.tif 000013
【図１２】
2018172166.tif 000014
【図１３】
2018172166.tif 000015
【図１４】
2018172166.tif 000016